(57)【特許請求の範囲】
【請求項１】
複数の遊技機と、各遊技機に対応する位置に配され有価媒体の有価価値に基づいて所定の分量ずつ遊技媒体を貸し出す機能を備えた遊技媒体貸出機とを備えた遊技場における不正行為を監視する遊技場の不正監視装置であって、
撮像手段を有し、当該撮像手段は各遊技媒体貸出機に対応する位置に設けられ、当該遊技機又は当該遊技媒体貸出機を操作する人物に向けて焦点が合わせられるものであって、
撮像手段と遊技媒体貸出機は電気的に接続されており、
撮像手段によって撮像されている映像を表示する表示手段を有し、
遊技媒体貸出機が有価価値を有する有価媒体を認識すると、撮像手段を起動して撮像待機状態となり、撮像待機状態において、撮像手段によって焦点が合わせられた人物が前記表示手段に表示され、有価媒体に関連する動作が制御されると、当該動作に連動して静止画像を記憶する撮像動作が実行されることを特徴とする遊技場の不正監視装置。
【請求項２】
前記複数の遊技機の稼働状況を管理するホールコンピュータを有し、
遊技媒体貸出機に、紙幣あるいは有価価値が残存している有価媒体が投入されると、前記撮像手段及び表示手段が起動され、
前記撮像動作が実行され、前記静止画像が前記ホールコンピュータに送信された後、
撮像手段及び表示手段の動作が停止されることを特徴とする請求項１に記載の遊技場の不正監視装置。
【請求項３】
各遊技機は、遊技媒体の貸し出しを可能とする球貸しボタンと、有価媒体を遊技媒体貸出機から排出させる返却ボタンを備えており、
前記有価媒体に関連する動作は、前記返却ボタンを操作すること、又は玉貸しボタンを操作することであることを特徴とする請求項１又は２に記載の遊技場の不正監視装置。
【請求項４】
請求項１〜３のいずれかに記載の遊技場の不正監視装置とユニット化されたことを特徴とする遊技媒体貸出機。
【発明の詳細な説明】
【技術分野】
【０００１】
本発明は、パチンコ機やスロット機等の遊技機が設置された遊技場における不正監視装置、並びに、その不正監視装置を備えた遊技媒体貸出機に関するものである。
【背景技術】
【０００２】
近年の遊技場では、パチンコ機やスロット機等の遊技機が複数設置されており、遊技機同士の間に遊技媒体（遊技球やメダル）を貸し出す貸出機が設置されている。即ち、この種の遊技場は、貸出機と遊技機の設置台数は同数であり、さらに貸出機が各遊技機に対応する位置、つまり各遊技機に隣接する位置に１台ずつ配されたレイアウトである。
【０００３】
一方、旧来の遊技場では、貸出機は、各遊技機に対応する位置にはなく、遊技場における所定の場所にのみ設置されていた。即ち、この種の遊技場では、貸出機の設置台数は、遊技機の設置台数よりも著しく少なかった。そのため、遊技媒体を借りるために、その都度、席を離れる煩わしさがあった。
したがって、近年の遊技場では、遊技者が所望の遊技機を選択して席に着くと、遊技媒体を借りるためにわざわざ席を離れる必要がなく、当該遊技機と対面した状態で遊技媒体を借りることができるため、旧来の遊技場に比べると、遊技環境の利便性が高くなってきている。
【０００４】
ところで、近年の遊技場では、磁気カードや、ＩＣチップが内蔵されたＩＣカードやＩＣコイン等のプリペイド式の有価媒体（以下、ＩＣ式有価媒体と称す）が利用できる遊技媒体貸出機（所謂ＣＲユニット）が採用されている（例えば特許文献１）。そして、最近においては、このＣＲユニットの導入により、高額紙幣の使用が可能とされている。これにより、遊技者は、わざわざ両替機等に両替をしに行く手間すら省略できるため、より利便性が高い遊技環境が創出されている。
【先行技術文献】
【特許文献】
【０００５】
【特許文献１】特開２００３−２６０２５４号公報
【発明の概要】
【発明が解決しようとする課題】
【０００６】
しかしながら、このような遊技環境の利便性の向上に伴って、遊技場内における犯罪行為が露呈してきている。具体的には、ＣＲユニットに保持された有価媒体を、その有価媒体の所有者とは異なる第三者が当該ＣＲユニットから抜き取る不法行為（盗難）である。以下に、この行為に至る状況について詳細に説明する。
【０００７】
ＣＲユニットは、紙幣が投入されて、遊技が続行されている間、遊技者がその有価媒体を当該ＣＲユニットから取り出さない限り、その有価媒体が当該貸出機内に保持された状態が維持される。そして、その有価媒体がＣＲユニットに保持されている間、その有価媒体の有価情報は、当該ＣＲユニットや当該ＣＲユニットに対応する遊技機（所謂、ＣＲ遊技機）にデジタル表示される。即ち、ＣＲユニットに紙幣が投入されれば、有価情報が記憶された有価媒体が当該ＣＲユニットに保持される上、その有価情報が外部に向けて表示されるため、第三者は他人の有価媒体の有価情報を得ることが可能である。
また、ＣＲユニットは、有価媒体の取り出しに本人確認等要さないため、有価媒体の正規の保有者ではない第三者であっても、内部に保持された他人の有価媒体を取り出すことが可能な構成とされている。
したがって、この種のＣＲユニットは、有価媒体が保持された状況で、且つ、有価媒体の正規の所有者の注意が働かない状況、つまりその正規の所有者が席を離れた等の状況となれば、いかなる者であっても、他人の所有する有価媒体を容易に取り出すことができる状況が発生する。
このように、従来の貸出機は、遊技環境の利便性は満足いくものであるが、自己管理を怠ると有価媒体が盗難されてしまうという可能性が非常に高かった。
【０００８】
そこで、本発明では、従来技術の問題点に鑑み、有価媒体の正規の遊技者が有価媒体の自己管理を怠ったとしても、第三者の不正行為に対する意欲を削ぐことができ、たとえ不正行為があったとしてもその第三者を特定することができる遊技場の不正監視装置、並びに、遊技媒体貸出機を提供することを課題とする。
【課題を解決するための手段】
【０００９】
上記した課題を解決すべく提供される請求項１に係る発明は、複数の遊技機と、各遊技機に対応する位置に配され有価媒体の有価価値に基づいて所定の分量ずつ遊技媒体を貸し出す機能を備えた遊技媒体貸出機とを備えた遊技場における不正行為を監視する遊技場の不正監視装置であって、撮像手段を有し、当該撮像手段は各遊技媒体貸出機に対応する位置に設けられ、当該遊技機又は当該遊技媒体貸出機を操作する人物に向けて焦点が合わせられるものであって、撮像手段と遊技媒体貸出機は電気的に接続されており、撮像手段によって撮像されている映像を表示する表示手段を有し、遊技媒体貸出機が有価価値を有する有価媒体を認識すると、撮像手段を起動して撮像待機状態となり、撮像待機状態において、撮像手段によって焦点が合わせられた人物が前記表示手段に表示され、有価媒体に関連する動作が制御されると、当該動作に連動して静止画像を記憶する撮像動作が実行されることを特徴とする遊技場の不正監視装置である。
また、関連する発明は、複数の遊技機と、各遊技機に対応する位置に配され有価媒体の有価価値に基づいて所定の分量ずつ遊技媒体を貸し出す機能を備えた遊技媒体貸出機とを備えた遊技場における不正行為を監視する遊技場の不正監視装置であって、撮像手段を有し、当該撮像手段は各遊技媒体貸出機に対応する位置に設けられ、当該遊技機又は当該遊技媒体貸出機を操作する人物に向けて焦点が合わせられるものであって、撮像手段と遊技媒体貸出機は電気的に接続されており、遊技媒体貸出機が有価価値を有する有価媒体を認識すると、撮像手段を起動して撮像待機状態となり、当該撮像待機中に、有価媒体に関連する動作が制御されると、当該動作に連動して撮像動作が実行されることを特徴とする遊技場の不正監視装置である。
【００１０】
本発明の遊技場の不正監視装置は、正規の遊技者が所有する有価媒体が、第三者によって不正に取り出されたり、不正に使用されるような状況が発生したとしても、有価媒体に関連する操作を行う人物を特定することが可能な構成とされている。即ち、本発明では、遊技媒体貸出機（以下、単に貸出機という）と電気的に接続された撮像手段が備えられ、貸出機が有価価値を有する有価媒体を認識すると、まず撮像手段を起動して被写体を監視する撮像待機状態となる。そして、この監視動作たる撮像待機中に、有価媒体に関連する動作が制御されると、この動作に連動して撮像動作が実行される（被写体固定動作）。
このように、本発明によれば、有価価値を有する有価媒体が貸出機によって認識された時点から、撮像手段にフォーカスされた人物を監視するため、有価媒体の正規の所有者であろうとなかろうと、確実にその人物を監視することができる。これにより、正規の所有者であれば気にはならないが、不正を行おうとする者に対して常に監視されている心理状態にすることができるため、不正行為をしようとする意欲を削ぐことができる。
また万一、そのような状況の中で不正が行われてしまったとしても、その不正行為に連動して、撮像動作が実行されるため、不正行為者が特定されて、有価媒体の正規の所有者の不測の不利益の発生を防止することが可能である。
【００１１】
また、かかる構成によれば、表示手段が撮像手段で撮像された映像を表示するため、被写体たる人物には、監視されているという意識が働く。特に、不正行為を働こうとする者にとっては、表示手段によって自分自身が映し出されることで、多数の者によって監視されているという意識が働くため、犯罪を抑制させる効果を向上させることができる。
【００１２】
さらに、かかる構成によれば、被写体の特定を静止画像によって行うため、動画よりも解像度が高い映像を得ることが可能である。これにより、撮像動作によって得られたデータを用いて、不正行為者を特定するために、必要以上の時間が掛かるというおそれがなくなる。
【００１３】
請求項２に係る発明は、前記複数の遊技機の稼働状況を管理するホールコンピュータを有し、遊技媒体貸出機に、紙幣あるいは有価価値が残存している有価媒体が投入されると、前記撮像手段及び表示手段が起動され、前記撮像動作が実行され、前記静止画像が前記ホールコンピュータに送信された後、撮像手段及び表示手段の動作が停止されることを特徴とする請求項１に記載の遊技場の不正監視装置である。
【００１４】
請求項３に係る発明は、各遊技機は、遊技媒体の貸し出しを可能とする球貸しボタンと、有価媒体を遊技媒体貸出機から排出させる返却ボタンを備えており、前記有価媒体に関連する動作は、前記返却ボタンを操作すること、又は玉貸しボタンを操作することであることを特徴とする請求項１又は２に記載の遊技場の不正監視装置である。
【００１５】
請求項４に係る発明は、請求項１〜３のいずれかに記載の遊技場の不正監視装置とユニット化されたことを特徴とする遊技媒体貸出機である。
【００１６】
本発明の遊技媒体貸出機は、不正監視装置とユニット化されているため、新たに貸出機を設置するような遊技場においては、設置場所において、作業者が貸出機と不正監視装置とを接続する手間がないため便利である。
【発明の効果】
【００１７】
本発明の遊技場の不正監視装置、並びに、遊技媒体貸出機は、撮像手段を有し、有価価値を有する有価媒体を認識すると、被写体を監視する撮像待機状態となり、撮像待機中に、有価媒体に関連する操作が行われると、その操作を行った人物を撮像するため、犯罪の可能性を減少させることができると共に、万一犯罪が発生したとしても、その犯罪行為者を特定することができる。これにより、遊技場内における、遊技者の不測の不利益の発生を防止することができる。
【図面の簡単な説明】
【００１８】
【図１】本発明の実施形態に係る貸出機とその貸出機に並設されたパチンコ機を示す斜視図である。
【図２】貸出機に内蔵された機器と外部との接続関係を示すブロック図である。
【図３】貸出機の特徴的動作を示すフローチャートである。
【発明を実施するための形態】
【００１９】
以下に、本発明の実施形態に係る遊技媒体貸出機１について説明する。
本実施形態の遊技媒体貸出機（以下、単に貸出機ともいう）１は、複数のパチンコ機（遊技機）３０が設置された遊技場内に設置されており、各パチンコ機３０に隣接する位置に配されている。そして、各貸出機１は、それぞれに対応するパチンコ機３０と電気的に接続されており、相互に信号の送受信が可能な構成とされている。
また、本実施形態の貸出機１は、ＩＣチップが内蔵されたＩＣカード（有価媒体）を介して、遊技球（遊技媒体）を貸し出す機能を備えた、ＣＲ（Card Reader）式のものが採用されており、さらにこの有価媒体が第三者に盗難される可能性を低減する機能（以下、盗難予防機能という）が備えられている。
【００２０】
貸出機１は、図１に示すように、幅方向（パチンコ機３０との隣接方向）の長さが短い薄型の筐体１９を有し、その筐体１９の前面側に、紙幣投入口２０と、媒体挿排出口２１と、貸出機側表示部２２と、操作部２３と、有価媒体の不正監視装置たる撮像装置２及び表示装置３が設けられ、内部に本体制御基板１１（図２）が搭載されている。
【００２１】
紙幣投入口２０は、紙幣を貸出機１の内部に取り込む入口である。そして、紙幣投入口２０の内部側には、紙幣判別器１２（図２）が設けられており、紙幣判別器１２によって、紙幣投入口２０から投入された紙幣の真贋や有価価値の判断を可能としている。
【００２２】
媒体挿排出口２１は、ＩＣカードや会員カード等の有価情報（投入した紙幣価値に基づく金額や、カード内に貯球された球数等の情報）を記憶可能な有価媒体の挿入及び排出が行われる部分である。そして、媒体挿排出口２１より内部側には、媒体Ｒ／Ｗ装置１３（図２）が設けられており、媒体Ｒ／Ｗ装置１３によって、貸出機１の内部に保持された有価媒体の有価情報（例えば、１，０００円や１０，０００円等の有価価値や、２，０００球、５，５００球等の有価価値）の読み取り及び情報の書き換えを可能としている。
【００２３】
貸出機側表示部２２は、投入された紙幣や有価媒体の有価情報を表示するディスプレイである。
操作部２３は、機能設定に関する入力や、挿入された有価媒体の使用金額又は使用球数等の決定を可能とする入力手段である。
【００２４】
撮像装置２は、静止画撮影機能を備えた公知の小型カメラであり、媒体挿排出口２１の近傍にレンズ部５が位置するように固定されている。即ち、撮像装置２は、大部分が筐体１９の内部に配され、一部分たるレンズ部５が筐体１９に形成されたレンズ用開口（図示しない）から外部に露出するように配されている。そして、本実施形態では、レンズ用開口（図示しない）の外側を覆うようにドーム状のクリアーケース１５が取り付けられている。即ち、撮像装置２は、クリアーケース１５を介して、レンズ部５から外部の状況を撮像可能とされている。
【００２５】
表示装置３は、公知の液晶モニタであり、撮像装置２と電気的に接続されている。また、表示装置３は、支持部材（図示しない）を介して、貸出機本体の上部側に固定されている。具体的には、表示装置３は、支持部材（図示しない）に対して相対的に左右方向（遊技機３０の並設方向）に回動するように軸支されており、適宜左右方向に固定角度を変更できる構成である。
【００２６】
本体制御基板１１は、ＣＰＵ及びメモリ（ＲＯＭ及びＲＡＭを含む）が実装され、主に遊技球の貸し出し制御を統括的に行う部分である。そして、本体制御基板１１は、図２に示すように、貸出機１の内部において、紙幣判別器１２と、媒体Ｒ／Ｗ装置１３と、貸出機側表示部２２と、操作部２３と、撮像装置２と、表示装置３と、電源部２４とに電気的に接続されている。なお、電源部２４は、商用電源から供給される電力を受けて、本体制御基板１１等に供給するものである。
【００２７】
また、本体制御基板１１は、図２に示すように、インターフェース機能を果たす中継基板２５を介して、外部の機器と電気的に接続されている。具体的には、各貸出機１は、対応するパチンコ機３０と、ホールコンピュータ２６と、媒体管理コンピュータ２７等に接続されている。
パチンコ機３０は、遊技球を用いて遊技可能な遊技装置であり、貸出機１に投入された紙幣や有価媒体の有価情報を表示する遊技機側表示部３１や、遊技機側表示部３１に表示された有価価値の範囲内で遊技球の貸し出しを可能とする球貸しボタン３２や、有価価値が残存する有価媒体を貸出機１から排出させる返却ボタン３３を備えている。
ホールコンピュータ２６は、パチンコ機３０の稼働状況、並びに、貸出機１に投入された紙幣の有価価値や、有価媒体からの遊技球の貸し出しに伴って消費された有価価値の有価情報等に基づいて遊技場における売り上げ等を管理するコンピュータである。
媒体管理コンピュータ２７は、貸出機１において新たに発行された有価媒体の発行情報や、有価媒体における遊技球の貸し出しに伴う有価価値の消費情報等の取引データを収集するコンピュータである。なお、媒体管理コンピュータ２７は、第三者機関たるプリペイドシステムの管理会社で管理されているコンピュータである。
【００２８】
次に、本実施形態の貸出機１の基本動作について説明する。
貸出機１の基本動作は、従来技術と同様であるため、簡単に説明する。
貸出機１は、所定の金額の紙幣が投入されると、その金額の有価価値を予め貸出機１の内部に保持された有価媒体に書き込むと共にその有価価値を読み取り、また、有価価値が残存した有価媒体が挿入されると、その有価媒体の有価価値を読み取り、貸出機側表示部２２及び遊技機側表示部３１にその有価情報を表示する。即ち、貸出機１は、紙幣や有価媒体のいずれが投入されても、有価媒体に関連づけられた有価価値が読み取られて、各表示部２２、３１に有価情報が表示される。そして、この状態において、遊技者によって、パチンコ機３０の球貸しボタン３２が操作されると、所定分の有価価値が消費（以下、消費有価価値という）されて、その消費有価価値に相当する遊技球がパチンコ機３０に対して貸し出される。
【００２９】
そして、パチンコ機３０の球貸しボタン３２が操作されて遊技球が貸し出されると、紙幣や有価媒体の投入直後の有価価値から消費有価価値分を差し引いた有価価値が、残存有価価値として貸出機側表示部２２及び遊技機側表示部３１に表示される。ただし、パチンコ機３０の球貸しボタン３２を操作する際に、貸出機側表示部２２及び遊技機側表示部３１に表示された有価価値が、消費有価価値たる所定分の有価価値と同価値であれば、貸し出し後、残存有価価値はゼロとなるため、この場合、遊技球の貸し出し後は残存有価価値は表示されない。
【００３０】
その後、有価価値が残存した状態で、再び球貸しボタン３２が操作されると、前記した同様の動作によって遊技球が貸し出される。
一方、有価価値が残存した有価媒体が貸出機１に保持された状態で、そのパチンコ機３０での遊技を終了、あるいは別のパチンコ機３０に替わろうとする場合においては、所定の操作をすることで、その有価媒体を貸出機１から排出させることができる。即ち、貸出機１に保持された有価媒体は、遊技者がパチンコ機３０の返却ボタン３３を操作することで、媒体挿排出口２１から返却される。なお、この返却ボタン３３を操作して、有価媒体が返却されるまでには、多少の待ち時間を要する。具体的に、その待ち時間は、３〜５秒程度である。
【００３１】
続いて、本実施形態の貸出機１の特徴的機能について、図３のフローチャートを用いて説明する。
本実施形態の貸出機１は、上記したように、撮像装置２及び表示装置３を備え、これらの機器によって、有価媒体が第三者によって盗難される可能性を低減することを可能とした構成とされている。
【００３２】
即ち、貸出機１に紙幣あるいは有価媒体が投入されると、図３のフローチャートのステップ１において、内部に保持された有価媒体に有価価値が残存しているか否かが本体制御基板１１において確認される。そして、ステップ１において、有価媒体の残存有価価値が有ることが確認されると、ステップ２に移行して、フラグがオン状態であるか否かが確認される。一方、ステップ１において、有価媒体の残存有価価値が確認されなければ、ステップ８に移行して、フラグのオン状態が確認されて、フラグのオンが確認されなければ再びステップ１の条件が確認される。
【００３３】
ステップ２に移行した場合、フラグがオン状態でなければ、ステップ３に移行し、本体制御基板１１によって、撮像装置２及び表示装置３が起動される。即ち、ステップ３に移行すると、本体制御基板１１から撮像装置２及び表示装置３に電源オン信号が入力されて、レンズ部５のフォーカスが当該貸出機１に対応するパチンコ機３０に対峙している被写体（主に人物）に合わされると共に、表示装置３のバックライトが光り、当該人物が液晶画面に映し出される。これにより、撮像装置２は、人物を監視する撮像待機状態にモード移行する。
【００３４】
その後、ステップ４に移行し、フラグがオン状態にされた後、ステップ５に移行し、パチンコ機３０の返却ボタン３３が操作されたか否かが確認される。そして、ステップ５において、返却ボタン３３が操作されたことが確認されれば、撮像動作が実行される（ステップ６）。即ち、ステップ６では、撮像装置２がフォーカスした人物が静止画像として、本体制御基板１１に記憶される。そして、静止画像が本体制御基板１１に記憶されると、ステップ７に移行し、そのデータ及び返却ボタン３３が操作された事実がホールコンピュータ２６に入力される。なお、本実施形態におけるステップ６及びステップ７は、タイミングがずれていても、同時であっても、いずれであっても構わない。
【００３５】
そして、ステップ７において静止画像のデータがホールコンピュータ２６に送信された後、ステップ９に移行して撮像装置２及び表示装置３の動作が停止される。即ち、ステップ９においては、撮像装置２及び表示装置３への通電が停止され、撮像待機状態が解除される。そして、ステップ１０に移行し、フラグをオフ状態にして、有価媒体の盗難予防機能に係る上記制御が終了する。
【００３６】
また、ステップ５において、返却ボタン３３の操作が確認されなかった場合について付言すると、この場合、ステップ１に戻り、再びステップ１移行の動作が実行される。即ち、返却ボタン３３の操作が確認されなかった場合、ステップ２及びステップ８においては、フラグのオン状態が確認されるため、ステップ２からステップ５に移行、あるいは、ステップ８からステップ９に移行して、動作が制御される。
【００３７】
以上のように、本実施形態では、貸出機１に保持された有価媒体に有価価値が残存していることを１つの条件として、撮像装置２及び表示装置３を起動して、第三者による不正行為を予防することができる。即ち、貸出機１は、保持された有価媒体に有価価値が残存している場合、パチンコ機３０に対峙する人物を監視する撮像待機状態となり、その撮像待機状態において有価媒体が返却ボタン３３によって取り出された際に、監視された人物が撮像される構成とされている。このため、本実施形態の貸出機１によれば、たとえ有価媒体の所有者が席を離れる際に自己管理を怠ったとしても、監視動作により盗難行為の発生を低減することができ、また盗難行為が発生したとしても、撮像動作により盗難行為者の特定を確実なものとすることができる。
【００３８】
上記実施形態では、撮像装置２と表示装置３の双方を貸出機にユニット化した構成を示したが、本発明はこれに限定されず、例えば、撮像装置２と表示装置３のいずれか１つを貸出機にユニット化した構成であっても構わない。
また、本発明では、撮像装置２と表示装置３とを貸出機と一体化せず、別個の機器として遊技場に備えた構成であっても構わない。
【００３９】
上記実施形態では、撮像されたデータのみがホールコンピュータ２６に入力される構成を示したが、本発明はこれに限定されず、撮像待機状態にフォーカスされた映像をホールコンピュータ２６等に映し出す構成であっても構わない。また、このような構成を採用する場合、表示装置３を設けない構成としても構わない。
【００４０】
また、上記実施形態では、撮像待機状態において、返却ボタン３３が操作された際に、撮像動作が実行される構成を示したが、本発明はこれに限定されず、球貸しボタン３２が操作された際にも撮像動作が実行される構成であっても構わない。
【００４１】
上記実施形態では、貸出機１に対応する遊技機としてパチンコ機３０を示したが、本発明はこれに限定されず、貸出機に対応する遊技機としてスロット機であっても構わない。
【００４２】
上記実施形態では、パチンコ機３０から発せられる有価媒体の返却信号が、当該パチンコ機３０に対応する貸出機１に直接的に入力される構成を示したが、本発明はこれに限定されず、ホールコンピュータ２６を介して、間接的に貸出機１に信号が入力される構成であっても構わない。
【００４３】
上記実施形態では、カード式の有価媒体が利用できる構成とし、さらに有価媒体が１つの受付口で挿排出する媒体挿排出口２１を設けた構成を示したが、本発明はこれに限定されず、コイン式の有価媒体を利用できる構成としたり、有価媒体を挿入する挿入口と排出される排出口とを別個にした構成としても構わない。
【符号の説明】
【００４４】
１    貸出機（遊技媒体貸出機）
２    撮像装置（撮像手段）
３    表示装置（表示手段）
３０    パチンコ機（遊技機）
３２    球貸しボタン
３３    返却ボタン
【図１】
0005894753.tif 000002
【図２】
0005894753.tif 000003
【図３】
0005894753.tif 000004